(57)【要約】【課題】  バリアフリー住宅に適合するマグネット式戸当たり本体部分をつまみやすい形状とするとともに、マグネット埋設部分の面積も十分確保できる形状のマグネット式戸当たりを提供すること。【解決手段】  マグネット式戸当たり本体と、一定範囲で回動自在の磁性体プレートを有する受け体とからなり、磁性体プレートを、マグネット式戸当たり本体下面に埋設されたマグネットに吸着させ、磁性体プレート先端部をマグネット式戸当たり本体に当接させることにより、ドアをロックするマグネット式戸当たりに次の手段を採用する。  第１に、本体が、取付板部と、下面にマグネットを埋設したノーズ部とからなるものとする。  第２に、該ノーズ部が、先端付近は横方向に幅広部として形成され、該幅広部の下面にマグネットを埋設すると共に、該幅広部から取付板部に向かって作業者の指が入る程度の幅狭部を形成したものとする。【選択図】        図１
0003132862.tif 000002
【実用新案登録請求の範囲】
【請求項１】
ドア側に装着されるマグネット式戸当たり本体と、床面に取り付けられ一定範囲で回動自在の磁性体プレートを有する受け体とからなり、磁性体プレートを、マグネット式戸当たり本体下面に埋設されたマグネットに吸着させ、磁性体プレート先端部をマグネット式戸当たり本体に当接させることにより、ドアをロックするマグネット式戸当たりにおいて、
上記本体が取付板部と、下面にマグネットを埋設したノーズ部とからなり、
該ノーズ部が、先端付近は横方向に幅広部として形成され、該幅広部の下面にマグネットを埋設すると共に、該幅広部から取付板部に向かって作業者の指が入る程度の幅狭部を形成したものであるマグネット式戸当たり。
【請求項２】
磁性体プレートのマグネットとの吸着面が、消音効果のある消音膜で被覆されたものである請求項１記載のマグネット式戸当たり。
【考案の詳細な説明】
【技術分野】
【０００１】
本考案は、マグネット式戸当たりの改良に関する。詳しくは、ドア側に装着されるマグネット式戸当たり本体と、床面に取り付けられ一定範囲で回動自在の磁性体プレートを有する受け体とからなり、磁性体プレートを、マグネット式戸当たり本体下面に吸着させ、磁性体プレート先端部をマグネット式戸当たり本体に当接させることにより、ドアをロックするマグネット式戸当たりの改良に関するものである。
【背景技術】
【０００２】
従来より、ドアの開閉によりドアやノブ等が壁またはドア周辺の家具等に衝突し、これらに損傷が生じるのを防ぐために、戸当たりがドア付近の床に設置されていた。これまでの通常の戸当たりは、床面に装着されるプレートから支柱を立設し、上方端部に緩衝体を設けたものであり、更に、ドアを開放状態にしておくために、支柱部の略Ｕ字状の止め金具を、ドアの側面に設けられた鉤部に係止するようにしていたものである。
【０００３】
しかしながら、上記のような従来の戸当たりでは、支柱部が常時床から立設されているため、歩行中誤って戸当たりにつまづいてしまうおそれがあり、バリアフリー住宅には不向きなものであった。このためバリアフリー住宅向きの戸当たりとして、特許文献１に示すようなマグネット（磁石）を用いた戸当たりが開発されてきた。
【０００４】
しかし、特許文献１記載のマグネット式戸当たりは、バリアフリーの観点やデザイン上あまり大きくすることはできず、更に、この本体をドアに取り付ける際、ドアの床面近くにビス止めしなければならず、作業がし難く、取付用ドリルやドライバーで指を怪我する危険があった。更に、大きくできないため使用するマグネットの大きさも限定され、ロック力を強化するため外部操作のロック機構を設ける必要等があった。
【０００５】
【特許文献１】特開２００４−２７５５３号公報
【考案の開示】
【考案が解決しようとする課題】
【０００６】
本考案は、バリアフリー住宅に適合するマグネット式戸当たり本体部分をつまみやすい形状とするとともに、マグネット埋設部分の面積も十分確保できる形状のマグネット式戸当たりを提供することを目的とする。
【課題を解決するための手段】
【０００７】
第１の考案は、ドア側に装着されるマグネット式戸当たり本体と、床面に取り付けられ一定範囲で回動自在の磁性体プレートを有する受け体とからなり、磁性体プレートを、マグネット式戸当たり本体下面に埋設されたマグネットに吸着させ、磁性体プレート先端部をマグネット式戸当たり本体に当接させることにより、ドアをロックするマグネット式戸当たりに次の手段を採用する。
【０００８】
第１に、上記本体が、取付板部と、下面にマグネットを埋設したノーズ部とからなるものとする。
第２に、該ノーズ部が、先端付近は横方向に幅広部として形成され、該幅広部の下面にマグネットを埋設すると共に、該幅広部から取付板部に向かって作業者の指が入る程度の幅狭部を形成したものとする。
【０００９】
第２の考案は、第１の考案に、磁性体プレートのマグネットとの吸着面が、消音効果のある消音膜で被覆されたものであることを付加したマグネット式戸当たりである。
【考案の効果】
【００１０】
第１の考案は、ノーズ部の幅広部から取付板部に向かって作業者の指が入る程度の幅狭部を形成したものであるので、本体の取付作業時において、つまみやすく作業上便利であり、且つ、作業者の指の怪我を防止することもできるものとなった。そのため、ビス止め等を強力に行うことができるものとなった。更に、ノーズ部が、先端付近は横方向に幅広部として形成され、該幅広部の下面にマグネットを埋設するものであるため、つまみ用の幅狭部を形成したとしてもマグネット埋設スペースは十分に確保できるものとなった。
【００１１】
第２の考案は、磁性体プレートのマグネットとの吸着面が、消音効果のある消音膜で被覆されたものであるので、マグネットと磁性体プレートの吸着の際の衝撃音が押さえられ、音の静かなマグネット式戸当たりとなった。
【考案を実施するための最良の形態】
【００１２】
以下、図面に従って、実施例と共に本考案の実施の形態について説明する。図１は、本考案に係るマグネット式戸当たりの斜視図であり、図２は、同使用状態を示す正面側斜視図であり、図３は、同使用状態を示す側面図である。図１乃至３に現れるように、マグネット式戸当たりは、ドア３側に装着される本体１と床４側に装着される受け体２とよりなる。
【００１３】
受け体２は、図４及び図５に示されるように、中央に長窓２１が形成された円形プレート２４と、該長窓２１の一方端（取付状態でドア３と反対側端部）を支点として、一定範囲（図示の実施例では床面に対して約２０度の角度が限界として設定されている。）で、回動自在に装着された磁性体プレート２２を有する。
【００１４】
尚、磁性体プレート２２は、例えば鉄等の磁性体のマグネット１５との吸着面が、消音効果のある消音膜（例えば合成樹脂膜）で被覆されたものであることが好ましい。このように被覆することにより、磁性体プレート２２がマグネット１５に吸着される際の音が静かなものとなり、合成樹脂膜等で被覆された場合には、磁性体として鉄等の錆びやすい素材を用いた場合であっても錆がでにくいものとなる。
【００１５】
実施例での円形プレート２４は、厚さ約３ミリメートル、直径約５６ミリメートルの亜鉛ダイキャスト製のものが用いられているが、プラスチックであってもよい。錆びにくい素材であることが好ましい。又、磁性体プレート２２もほぼ同等の厚さを有している。この結果、床４に取り付けられる受け体２の厚さが約３ミリメートルとなるため、バリアフリー住宅にも適するものとなった。
【００１６】
尚、受け体２の円形プレート２４部分に３カ所穿設された穴は、ビス５等止め材により受け体２を床４に固定するための取付穴２３である。
【００１７】
本体１は、図２に示されるように左右両側にドア３への取付用穴１３が穿設された取付板部１１と、取付板部１１の取付用穴１３の内側からドア３側と反対方向に突出させたノーズ部１２を有している。尚、取付用穴１３は、図６に示されるようにビス５により装着される。
【００１８】
実施例において取付板部１１の横幅（取付状態での水平長尺方向、但し図７乃至８では縦に描かれている。）は、約５０ミリメートルで厚さ約４ミリメートルで、ノーズ部１２は、取付板部１１より約２１ミリメートル前方に突出させて一体に形成されている。本体１のボディを構成する素材は、亜鉛ダイキャスト製のものが用いられているが、プラスチックであってもよいことは受け体２の円形プレート２４と同様である。
【００１９】
ノーズ部１２の下面は、図３及び図９に示されるように、先端側が低く、取付板部１１側が高く形成された傾斜面１４とされ、該傾斜面１４にマグネット１５が埋設されている。実施例でのマグネット１５は円形のものが利用されている。該傾斜面１４は、磁性体プレート２２の最大移動範囲に適合したものとされ、実施例では先端に向かって約２０度弱の角度で下がる角度とされている。
【００２０】
ノーズ部１２は、先端は略円形に形成されているが、図６に示されるように先端部付近は横方向に幅広部１６として形成され、該幅広部１６から取付板部１１に向かって作業者の指が入る程度の幅狭部１７を形成してある。尚、幅狭部１７はノーズ部１２の左右両側を切欠したものであってもよいが、図７及び図９に示されるように切欠部１８はノーズ部１２を指でつまめる深さまでとし、ノーズ部１２下面側は幅広のまま取付板部１１まで連接されていてもよい。このように形成することにより、マグネット１５の埋設スペースを広くとることができる。
【００２１】
取付板部１１のノーズ部１２との連設部分には、図８に示すように取付板部１１とノーズ部１２下面との間に磁性体プレート２２の先端が当接し、磁性体プレート２２が脱落することなく、磁性体プレート２２の進行停止することを可能とする受け凹部２６が形成されている。この結果、ドア３に取り付けられた本体１が、受け体２の上方に位置すると、マグネット１５が、磁性体プレート２２を磁力により引っ張り上げて吸着し、磁性体プレート２２の先端が、本体１の受け凹部２６に嵌り込み、しっかりとロックされることになる。
【００２２】
以下本考案の取付方法について説明する。
先ず、受け体２の磁性体プレート２２を本体１の下面傾斜面のマグネット１５に吸着させ、磁性体プレート２２を約２０度の角度で引き上げた状態にして、受け体２を床４に、本体１をドア３にビス５にて取り付ける。本体１の取付時にはノーズ部１２の幅狭部１７に指を入れてつまんだ状態でドリルやドライバーを利用して取付作業が行われるので、便利であり、且つ、怪我の防止にもなる。
【図面の簡単な説明】
【００２３】
【図１】．．．．．．マグネット式戸当たりの斜視図
【図２】．．．．．．使用状態を示す正面側斜視図
【図３】．．．．．．使用状態を示す側面図
【図４】．．．．．．マグネット式戸当たりの分解斜視図
【図５】．．．．．．受け体の平面図
【図６】．．．．．．ノーズ部を摘んだ状態のマグネット式戸当たりの斜視図
【図７】．．．．．．マグネット式戸当たり本体の平面図
【図８】．．．．．．同底面図
【図９】．．．．．．同側面図
【符号の説明】
【００２４】
１．．．．．．．．本体
２．．．．．．．．受け体
３．．．．．．．．ドア
４．．．．．．．．床
５．．．．．．．．ビス
１１．．．．．．．取付板部
１２．．．．．．．ノーズ部
１３．．．．．．．取付用穴
１４．．．．．．．傾斜面
１５．．．．．．．マグネット
１６．．．．．．．幅広部
１７．．．．．．．幅狭部
１８．．．．．．．切欠部
２１．．．．．．．長窓
２２．．．．．．．磁性体プレート
２３．．．．．．．取付穴
２４．．．．．．．円形プレート
２６．．．．．．．受け凹部
【図１】
0003132862.tif 000003
【図２】
0003132862.tif 000004
【図３】
0003132862.tif 000005
【図４】
0003132862.tif 000006
【図５】
0003132862.tif 000007
【図６】
0003132862.tif 000008
【図７】
0003132862.tif 000009
【図８】
0003132862.tif 000010
【図９】
0003132862.tif 000011